(57)【要約】      （修正有）【課題】魚信の感度を向上させ、魚のアタリを的確に視認でき、加えて、摩擦抵抗及び風の抵抗からの影響を低減し、道糸をスムーズに送り出すことが出来るので、速やかにタナ（遊泳層）に着き、釣果の向上につながる中通し浮きを提供する。【解決手段】浮き本体１０を貫穿される湾曲挿通孔２０とを備え、湾曲挿通孔２０は道糸を０〜３０度の角度で送り出すことで、魚が餌に食いついた際、魚の引く力で釣り糸が引っ張られ、湾曲挿通孔２０が釣り糸に強く押し付けられて、湾曲挿通孔２０の内壁面に摩擦抵抗が生じ、中通し浮きが釣り糸に固定されるようにした。【選択図】図５
2020120588.tif 000002
【特許請求の範囲】
【請求項１】
釣り糸に貫装される中通し浮きであって、
浮き本体と、
前記浮き本体を貫穿される湾曲挿通孔と、を備えることを特徴とする中通し浮き。
【請求項２】
前記湾曲挿通孔の径が０．６ｍｍ以上２．０ｍｍ未満であることを特徴とする請求項１に記載の中通し浮き。
【請求項３】
前記湾曲挿通孔の曲線の度合いが３０度以上９０度未満であることを特徴とする請求項１に記載の中通し浮き。
【請求項４】
前記湾曲挿通孔は、
前記浮き本体の第１端部から挿入する第１直線部と、
前記浮き本体の第２端部から挿入する第２直線部と、
両端部がそれぞれ、第１直線部と第２直線部と連結される湾曲部と、を含むことを特徴とする請求項１に記載の中通し浮き。
【請求項５】
前記湾曲挿通孔における、第１直線部、第２直線部及び湾曲部の径が０．６ｍｍ以上２．０ｍｍ未満であることを特徴とする請求項３に記載の中通し浮き。
【請求項６】
前記湾曲挿通孔の曲線の度合いが３０度以上９０度未満であることを特徴とする請求項４に記載の中通し浮き。
【請求項７】
前記浮き本体の全長が３ｃｍ以上６ｃｍ未満であることを特徴とする請求項１から請求項６のいずれかの１項に記載の中通し浮き。
【請求項８】
前記浮き本体は、さらに湾曲パイプを備え、該湾曲パイプ内に前記湾曲挿通孔が形成され、また、該浮き本体は、中空殻体であり、該中空殻体内に該湾曲パイプが設置されることを特徴とする請求項１から請求項６のいずれかの１項に記載の中通し浮き。
【請求項９】
前記浮き本体は、第１アームと該第１アームと角度を有するように連結された第２アームとを有し、該第２アームの端部内に、オモリが設けられることを特徴とする請求項１から請求項６のいずれかの１項に記載の中通し浮き。
【請求項１０】
前記浮き本体には、平面部が形成されており、例えば、該第１アームが水平方向に延びて形成され、第２アームが下向きに延びて形成される場合、該平面部は、第２アームの天面に上向きに位置することを特徴とする請求項９に記載の中通し浮き。
【請求項１１】
前記浮き本体は、第１端部、第２端部及び緩衝部を含み、該第１端部は、該第２端部より釣り竿に近い位置にあり、該緩衝部は、該湾曲挿通孔を貫通し、該第１端部に設置されることを特徴とする請求項１から請求項６のいずれかの１項に記載の中通し浮き。
【発明の詳細な説明】
【技術分野】
【０００１】
本発明は、釣り具に関するものである。
【背景技術】
【０００２】
釣りは、単に自然と向き合うだけのアウトドアでなく、様々な知識や技術が織り込まれたものである。釣り具も益々進化し続けており、異なる釣り場には、それに対応する釣り具を有する。釣りをする時は、ポイント（魚がいる場所）に仕掛けを投げ込んだ後、単に魚が餌に食いつくのを待つだけではなく、釣果を上げるために、常時その仕掛けを上下に動かしたりしてアクションを加えることで、生きている餌に見せかけるために誘いをかけることが重要である。
【０００３】
図９に示すように、中通し浮き９を釣り糸Ａ（以下、「道糸」と称す）に装着する時は、浮き止めを付けることにより、釣り糸Ａと中通し浮き９との相対位置を決めるが、浮き止めを付けずに、中通し浮き９を釣り糸Ａに沿って自由に移動させる方法もある。浮き止めを付けた場合、中通し浮き９が常に水面に浮いているので、釣り針の水中での最大深度が抑制されることから、餌を上下に動かす範囲も抑制されて、誘いの範囲が小さくなり、魚を餌に食いつかせることが難しくなる。一方、浮き止めを付けていない場合、最大深度は抑制されないが、仕掛け自体の重さで自然と餌のついた釣り針が徐々に沈み続けることから、餌に食いつかせるために、釣り糸を巻き取ったり、また投げ込んだりする操作を魚が釣れるまで繰り返す必要がある。
【０００４】
従来の中通し浮き９において、釣り糸Ａが挿通される挿通孔は直線状であるので、浮き止めを付けていない場合、釣り糸Ａと中通し浮き９との間の相対的運動がスムーズであることから、釣り針が底に着くスピードが速くなり、且つ魚信が比較的不明確である。従って、底着きを回避するため、釣り人が釣り糸を巻き取ったり、投げ込んだりする操作を頻繁に行う必要があるので、非常に疲れる。
【０００５】
さらに、釣り竿には、複数の釣り糸ガイドが設けられており、前記釣り糸Ａを巻き取る際、前記中通し浮き９は、該釣り糸Ａと共に巻き取られるので、釣り糸ガイドを通過しかねなく、また、一般的な中通し浮き９は硬い材質であり、巻き取るスピードもかなり速いので、釣り糸ガイドにぶつかって、破損してしまう虞がある。
【０００６】
一方、中通し浮き９は、水面との接触面積が比較的に大きいので、水の抵抗かつ体積が大きいほど、水の流れに影響されやすく、いわゆる水切りが悪い。前記中通し浮き９の水切りが悪い場合、前記釣り糸Ａと共に流されてしまい、流される距離が遠いほど、巻き取るのも大変になり、それに伴い、距離や波の影響を受けるので、中通し浮き９による魚信、つまり魚のアタリを取りづらくなる。
【０００７】
本発明は、上記従来の課題に鑑みて、これらの欠点を解決するためになされたものである。
【発明の概要】
【発明が解決しようとする課題】
【０００８】
本発明の目的は、全ての遊泳層（水面から底まで）での魚信感度を高めると共に、釣り針をポイントに投げ込んでから底に到達するまでの時間を延長させて、魚が餌に食いつく確率を向上させる中通し浮きを提供することを目的とする。
【課題を解決するための手段】
【０００９】
上記目的を達成するために、本発明は、釣り糸に貫装される中通し浮きであって、浮き本体と、前記浮き本体を貫穿される湾曲挿通孔と、を備えることを特徴とするものである。
【００１０】
前記曲線挿通孔の径が０．６ｍｍ以上２．０ｍｍ未満である。
【００１１】
前記曲線挿通孔の曲線の度合いが３０度以上９０度未満である。
【００１２】
前記曲線挿通孔は、前記浮き本体の第１端部から挿入する第１直線部と、
前記浮き本体の第２端部から挿入する第２直線部と、両端部がそれぞれ、第１直線部と第２直線部と連結される湾曲部と、を含む。
【００１３】
前記曲線挿通孔における、第１直線部、第２直線部及び湾曲部の径が０．６ｍｍ以上２．０ｍｍ未満である。
【００１４】
前記曲線挿通孔の曲線の度合いが３０度以上９０度未満である。
【００１５】
前記浮き本体の全長が３ｃｍ以上６ｃｍ未満である。
【００１６】
前記浮き本体は、さらに湾曲パイプを備え、該湾曲パイプ内に前記湾曲挿通孔が形成され、該浮き本体が任意の浮力材から成り、該湾曲パイプが、該浮力材の内に設置される。
【００１７】
前記浮き本体は、第１アームと該第１アームと角度を有するように連結された第２アームとを有し、該第２アームの端部の内に、オモリが設けられることから該湾曲パイプ内の釣り糸を０〜３０度の角度で送り出すことができる。
【００１８】
前記浮き本体には、平面部が形成されており、例えば該第１アームが水平方向に延びて形成され、第２アームが下向きに延びて形成される場合、該平面部は、第２アームの天面に上向きに位置し、また、てこの原理により、流線的な水切りの良い浮きである。
【００１９】
前記浮き本体は、第１端部、第２端部及び緩衝部を含み、該第１端部は、該第２端部より釣り竿に近い位置にあり、該緩衝部は、該湾曲挿通孔を貫通し、該第１端部に設置される。
【発明の効果】
【００２０】
本発明の効果は以下の通りである。つまり、魚が餌に食いつく際、魚の引く力で釣り糸が引っ張られて、湾曲挿通孔の内壁面及び両端の開口部に押圧力がかかることにより、摩擦抵抗が生じて、湾曲挿通孔が釣り糸に強く押し付けられることで、湾曲挿通孔の内壁面に発生した摩擦抵抗が更に強くなり、中通し浮きが釣り糸に固定される。一旦、魚が餌を咥えて引っ張ると、浮きが沈むことから、魚のアタリを的確に捉えることができる。また、本発明の中通し浮き内の湾曲挿通孔は湾曲状であることから、魚が餌を咥えていなくても、釣り糸と湾曲挿通孔の内壁面との間には一定の摩擦力を有するので、浮き止めをつけていなくても、釣り針が自重で沈む際に、摩擦抵抗力を受けている。故に、餌の沈む時間が長くなることから、釣り人が釣り糸を巻き取ったり、投げ込んだりする操作の頻度を抑えることができる。
【図面の簡単な説明】
【００２１】
【図１】本発明に係る中通し浮きの使用例を示す図である。
【図２】本発明に係る中通し浮きの斜視透視図である。
【図３】本発明に係る中通し浮きの斜視図である。
【図４】本発明に係る中通し浮きの正面図である。
【図５】本発明に係る中通し浮きの側面断面図である。
【図６】本発明に係る中通し浮きが水中に漂う様子を示す上面図である。
【図７】本発明に係る、魚が餌に食いつく前の中通し浮きの状態を示す図とその際の中通し浮きの拡大断面図である。
【図８】本発明に係る、魚が餌に食いついた時の中通し浮きの状態を示す図とその際の中通し浮きの拡大断面図である。
【図９】従来の浮きの使用例を示す図である。
【発明を実施するための形態】
【００２２】
以下、添付図面を参照して本発明の好適な実施の形態を詳細に説明する。尚、下記実施例は、本発明の好適な実施の形態を示したものに過ぎず、本発明の技術的範囲は、下記実施例そのものに何ら限定されるものではない。
図１〜図５に示すように、本発明の中通し浮き１は、釣り竿上の釣り糸Ａに貫装するものであり、これによれば、釣り糸Ａに浮き止めを付けなくてもよいので、中通し浮き９が釣り糸Ａに沿って自由に移動することができる。尚、本発明の中通し浮き９は、浮き本体１０と、湾曲挿通孔２０と、を備え、さらに、場合に応じて緩衝材３０を有してもよい。
【００２３】
前記浮き本体１０について、その外形は曲線状でもよく、また、第１アーム１１と第２アーム１２を含み、そのうち第１アーム１１は、第２アーム１２より釣り竿に近い位置にあり、それら第１アーム１１と第２アーム１２とは所定の角度で連結され、該角度は、９０度以上１５０度未満である。尚、本実施形態において、第１アーム１１は、連結部位から第１端部に向かって徐々に細くなり、第２アーム１２の天面には上向きに平面部１２１を有し、第２アーム１２の内にはオモリが設置されることから、本発明の中通し浮き１が水面や水中を漂う際、浮き本体１０の第２アーム１２は下向きに延び、第１アーム１１は水平に、又は釣り糸の引張力によって略斜め上に水面上を漂う。また、本発明の中通し浮き１が水中に漂う際は、浮き本体１０の第１アーム１１の端部が徐々に細くなると共に、第２アーム１２には平面部１２１を有することから、水面との接触輪郭は、第１端部の近傍の方が細く、第２端部の近傍の方が広いので、水切り性能を高めて、水に流れされるスピードを抑えることができる。尚、前記浮き本体１０と水面との輪郭は、特に限定されるものではなく、三角形、又は両端部が細く、中間部が広い流線型であってもよい。
【００２４】
前記浮き本体１０の全長Ｌは、３ｃｍ以上６ｃｍ未満の範囲であるが、本実施形態では４．５ｃｍである。また、全長Ｌの測量方法については、両端部の最長距離を、或いは浮き本体１０の湾曲挿通孔２０の両開口部の距離を、または湾曲挿通孔２０内の任意直線部と平行する浮き本体１０の両端部を測ってもよい。
【００２５】
また、本実施形態においては、浮き本体１０は中空であり、内部には湾曲挿通孔２０が貫穿され、該湾曲挿通孔２０は、第１直線部２１と、第２直線部２２と、湾曲部２３とを含み、該第１直線部２１は、前記浮き本体１０の第１端部（すなわち第１アーム１１の端部）から浮き本体１０に挿入し、第２直線部２２は、浮き本体１０の第２端部（すなわち第２アーム１２の端部）から浮き本体１０に挿入し、湾曲部２３は、第１直線部２１と第２直線部２２との間に位置し、両端部はそれぞれ、第１直線部２１と第２直線部２２と連結される。
【００２６】
前記湾曲挿通孔２０の径Ｄは、０．６ｍｍ以上２．０ｍｍ未満である。より詳しく述べると、前記第１直線部２１、第２直線部２２及び湾曲部２３の径Ｄは全て、０．６ｍｍ以上２．０ｍｍ未満である。例えば、釣り糸Ａが３号以下の場合、径Ｄは０．７６ｍｍでよく、釣り糸Ａが３号以上の場合、径Ｄは１．８２ｍｍでよい。また、前記湾曲挿通孔２０の曲線の度合いθ（Ｄｅｇｒｅｅ  ｏｆ  Ｃｕｒｖａｔｕｒｅ）は、３０度以上９０度未満であり、より詳しく述べると、前記湾曲部２３の曲線の度合いθは、３０度以上９０度未満であることから、前記釣り糸Ａを湾曲挿通孔２０に通しやすく、しかも引っかからない曲線の度合いθは５８度が好ましい。尚、上述した形状と寸法は、特に限定されるものではなく、前記湾曲挿通孔２０は他の形状でもよいし、例えば、直線部がなく、湾曲部２３のみでもよく、または湾曲部２３が螺旋状であってもよい。
【００２７】
前記緩衝材３０は、前記浮き本体１０の第１アーム１１の端部に設置され、前記釣り糸Ａを挿通する通し孔を有する。つまり、該通し孔は、湾曲挿通孔２０の一部である。
【００２８】
また、他の実施形態においては、例えば、浮き本体１０を、中空殻体と金属製オモリとからなる構成とし、内部に湾曲パイプを備え、湾曲挿通孔２０を該湾曲パイプ内に形成することにより、製造困難度及び生産コストの低減を図ってもよい。
【産業上の利用可能性】
【００２９】
図１、図２、図７及び図８に示すように、魚が餌に食いついた際、魚の引く力で釣り糸Ａが引っ張られることにより、魚信が生じ、湾曲挿通孔２０が釣り糸Ａに強く押し付けられることで、湾曲挿通孔２０の内壁面に生じた摩擦抵抗が更に強くなり、中通し浮き１が釣り糸Ａに固定され、魚が餌に食いついて水中へ潜ると、中通し浮き１が沈むことから、魚のアタリを的確に視認でき、魚信の感度も向上する。さらに、本発明の中通し浮き１内の湾曲挿通孔２０は、道糸を０〜３０度の角度で送り出すことができることから、摩擦抵抗及び風の抵抗からの影響を低減させるので、道糸をスムーズに送り出すことができ、速やかにタナ（遊泳層）に着き、釣果の向上につながる。また、釣り人は、釣り糸を巻き取る際、本発明の中通し浮き１が釣り糸ガイド（図示せず）に衝突したとしても、本発明の中通し浮き１の場合、最初に釣り竿の釣り糸ガイドに接触する部分は第１アーム１１であり、第１アーム１１の先端部分には緩衝材３０が設置されていることから、釣り糸ガイドが破損することはないので、釣り竿の使用寿命が向上する。
【００３０】
上述したように、本発明の中通し浮き１は、魚信の感度を向上させ、魚のアタリを的確に視認でき、仕掛けを投げ込んでから底に着くまでの時間を延長させ、さらに、巻き取り際の釣り糸ガイドの破壊を防ぐこともできる。
【符号の説明】
【００３１】
１  中通し浮き
１０  浮き本体
１１  第１アーム
１２  第２アーム
１２１  平面部
１２２  オモリ
２０  湾曲挿通孔
２１  第１直線部
２２  第２直線部
２３  湾曲部
３０  緩衝材
Ａ  釣り糸
Ｌ  全長
Ｄ  径
θ  曲線の度合い
９  中通し浮き
【図１】
2020120588.tif 000003
【図２】
2020120588.tif 000004
【図３】
2020120588.tif 000005
【図４】
2020120588.tif 000006
【図５】
2020120588.tif 000007
【図６】
2020120588.tif 000008
【図７】
2020120588.tif 000009
【図８】
2020120588.tif 000010
【図９】
2020120588.tif 000011